(57)【要約】【課題】  インクカートリッジ内部のインクに含まれている気泡が記録ヘッドに供給されるおそれが少なく、記録装置の記録品質を高めることができるインクカートリッジを実現する。【解決手段】  連通孔１５が、多孔質部材室９とインク室１０とを左右に仕切る内部側壁５に形成されており、且つ、多孔質部材８には、多孔質部材室９から突出して連通孔１５内に入り込む突出部８ａが備えられているため、多孔質部材８内から発生した気泡１９は、連通孔１５内の突出部８ａを通じてインク室１０へ導かれると、その上昇を妨げられることなくインク室１０の上方へ到達し、インク室１０の上部に形成された空間で消滅する。したがって、気泡を含んだインクが記録ヘッドに供給されるおそれが少ない。【選択図】  図１
2005205665.tif 000002
【特許請求の範囲】
【請求項１】
インクを被記録媒体へ吐出して記録を行う記録装置に備えられた記録ヘッドへインクを供給するインクカートリッジであって、前記インクを含浸させた多孔質部材を収容した多孔質部材室と、前記インクを収容したインク室とを隣接させて備えており、前記インク室に収容されているインクを前記記録ヘッドへ供給するためのインク供給孔が前記インク室に形成されたインクカートリッジにおいて、
前記多孔質部材室と前記インク室とを連通する連通孔が、前記多孔質部材室と前記インク室との境界を構成する壁のうち、前記多孔質部材室と前記インク室とを左右に仕切る側壁に形成されており、且つ、前記多孔質部材には、前記多孔質部材室から突出して前記連通孔内に入り込む突出部が備えられていることを特徴とするインクカートリッジ。
【請求項２】
前記突出部の先端部は、前記側壁のうち、少なくとも前記連通孔の上縁側において、前記側壁のインク室側側壁面より前記インク室側に位置することを特徴とする請求項１に記載のインクカートリッジ。
【請求項３】
前記側壁は、少なくとも前記連通孔の上縁側において、前記連通孔の開口端部の厚みが前記連通孔の開口端部より離れた部位の厚みより薄く形成されていることを特徴とする請求項１または請求項２に記載のインクカートリッジ。
【請求項４】
前記インク室側側壁面は、前記連通孔から上方に離れるにしたがい、前記突出部の基端部から前記インク室側に突出する斜面であることを特徴とする請求項３に記載のインクカートリッジ。
【請求項５】
前記連通孔の上縁側において、
前記側壁は、前記連通孔の開口端部の厚みが、当該開口端部から離れた部位の厚みに比べて薄く、
前記インク室側側壁面は、前記斜面と、当該斜面と連続して繋がる一対の対向する壁面とを備えることを特徴とする請求項４に記載のインクカートリッジ。
【請求項６】
前記インク供給孔は、前記連通孔より下方に位置する前記インク室の床部壁に形成され、
前記インク供給孔の前記インク室側の開口端は、前記連通孔の下縁を画定する前記インク室側側壁面より前記多孔質部材室側に位置することを特徴とする請求項１ないし請求項５のいずれか１つに記載のインクカートリッジ。
【発明の詳細な説明】
【技術分野】
【０００１】
この発明は、インク滴を被記録媒体へ吐出して画像の記録を行う記録装置において、インク滴を吐出するノズルが設けられた記録ヘッドに供給するためのインクを収容するインクカートリッジに関する。
【背景技術】
【０００２】
従来、この種のインクカートリッジを備えた記録装置として、インクに吐出のためのエネルギーを与えることにより、ノズルからインク滴を吐出させるインクジェット方式のプリンタなどが知られている。上記エネルギーを与える手段としては、電気機械変換素子または電気熱変換素子などのアクチュエータを駆動する手段などが用いられている。
図９は、従来の記録装置に用いられているインクカートリッジの縦断面説明図である。インクカートリッジ５０に備えられたケース２の内部は仕切壁５１により、多孔質部材室９と、インク室１０と、大気連通路１１とに区画されている。多孔質部材室９には、インクを吸収したポリウレタンフォームなどの多孔質部材８が収容されており、インク室１０にはインクが収容されている。多孔質部材室９の底部にはインク室１０に連通する連通孔１５が形成されており、インク室１０の底部にはインク供給孔１７が形成されており、大気連通路１１の底部には大気連通孔１８が形成されている。ケース２の底部が記録ヘッドに取り付けられ、インク室１０のインクはインク供給孔１７を通じて記録ヘッドに供給される。
多孔質部材にインクを含浸させることにより、インク供給孔１７から記録ヘッドへ供給するインク圧を負圧に保持している。インク室１０のインクは、インク供給孔１７を通じて記録ヘッドに供給され、記録ヘッドによって吐出されたインクの消費分は、大気連通孔１８から大気を吸入することにより補償される。
【０００３】
【特許文献１】特許第３１５８０２２号公報
【発明の開示】
【発明が解決しようとする課題】
【０００４】
しかし、上記従来のインクカートリッジ５０は、連通孔１５が多孔質部材室９の底部に存在するため、多孔質部材９に含まれている気泡が連通孔１５の出口付近に蓄積しやすい。
つまり、その気泡がインクの流れに乗ってインク供給孔１７から記録ヘッドへ侵入し、インクの吐出を正常に行うことができなくなり、記録品質が低下してしまうという問題がある。特に、気泡や不純物を含んだインクをノズルから外部へ吸引するパージングというメンテナンス動作を行うときは、記録時よりもインクの消費量が多いため、インクの流れが速いので、気泡を記録ヘッドに引き込む可能性がある。
【０００５】
そこで、この発明は、インクカートリッジ内部のインクに含まれている気泡が記録ヘッドに供給されるおそれが少なく、記録装置の記録品質を高めることができるインクカートリッジを実現することを目的とする。
【課題を解決するための手段】
【０００６】
この発明は、上記目的を達成するため、請求項１に記載の発明では、インクを被記録媒体へ吐出して記録を行う記録装置に備えられた記録ヘッドへインクを供給するインクカートリッジであって、前記インクを含浸させた多孔質部材を収容した多孔質部材室と、前記インクを収容したインク室とを隣接させて備えており、前記インク室に収容されているインクを前記記録ヘッドへ供給するためのインク供給孔が前記インク室に形成されたインクカートリッジにおいて、前記多孔質部材室と前記インク室とを連通する連通孔が、前記多孔質部材室と前記インク室との境界を構成する壁のうち、前記多孔質部材室と前記インク室とを左右に仕切る側壁に形成されており、且つ、前記多孔質部材には、前記多孔質部材室から突出して前記連通孔内に入り込む突出部が備えられているという技術的手段を用いる。
【０００７】
インクとは、染料インクまたは顔料インクなどのインクのことであり、被記録媒体とは、紙、合成樹脂など、インクにより記録可能なものをいう。多孔質部材とは、ポリウレタンフォームなど、インクの吸収性に優れた多孔質の部材のことである。壁は、たとえば加熱により溶融する樹脂材料などにより形成される。記録ヘッドとは、電気機械変換素子（たとえば、圧電逆効果を利用した圧電素子）または電気熱変換素子などのアクチュエータを駆動させて、インクに吐出のためのエネルギーを与えることにより、ノズルからインク滴を吐出させる方式のものであり、記録装置とは、そのような記録ヘッドを備えた、いわゆるインクジェット式プリンタ、ファクシミリ装置などのことである。
【０００８】
請求項２に記載の発明では、請求項１に記載のインクカートリッジにおいて、前記突出部の先端部は、前記側壁のうち、少なくとも前記連通孔の上縁側において、前記側壁のインク室側側壁面より前記インク室側に位置するという技術的手段を用いる。
【０００９】
連通孔の上縁側とは、たとえば連通孔が断面四角形の場合に、連通孔を構成する上縁、下縁、右側縁および左側縁のうち、上縁の側ということである。多孔質部材室とインク室とを左右に仕切る側壁は、多孔質部材室側に面する側壁面と、インク室側に面する側壁面とを有することになり、インク室側側壁面とは、インク室側に面する側壁面のことである。
「前記突出部の先端部は、前記側壁のうち、少なくとも前記連通孔の上縁側において、前記側壁のインク室側側壁面より前記インク室側に位置する」とは、上記側壁を上記連通孔を通るように切断した面を見た場合に、連通孔の上縁を基準にすると、多孔質部材室に収容された多孔質部材の先端が連通孔から上縁の位置よりもインク室側へ突出しているという意味である。
【００１０】
請求項３に記載の発明では、請求項１または請求項２に記載のインクカートリッジにおいて、前記側壁は、少なくとも前記連通孔の上縁側において、前記連通孔の開口端部の厚みが前記連通孔の開口端部より離れた部位の厚みより薄く形成されているという技術的手段を用いる。
【００１１】
連通孔の開口端部とは、たとえば連通孔が断面四角形の場合に、連通孔を構成する上縁、下縁、右側縁および左側縁の近傍という意味である。
「前記側壁は、少なくとも前記連通孔の上縁側において、前記連通孔の開口端部の厚みが前記連通孔の開口端部より離れた部位の厚みより薄く形成されている」とは、連通孔が形成された側壁のうち、連通孔の上縁における厚みが、上縁以外における厚みより薄く形成されているという意味である。たとえば連通孔が縦断面四角形の場合に、連通孔を構成する上縁、下縁、右側縁および左側縁のうち、上縁における厚みが、下縁、右側縁および左側縁における厚みより薄く形成されているという意味である。
【００１２】
請求項４に記載の発明では、請求項３に記載のインクカートリッジにおいて、前記インク室側側壁面は、前記連通孔から上方に離れるにしたがい、前記突出部の基端部から前記インク室側に突出する斜面であるという技術的手段を用いる。
【００１３】
突出部の基端部とは、連通孔内に入り込む突出部のうち、インク室側寄りの部分を先端部とした場合の多孔質部材室側寄りの部分をいう。
「前記インク室側側壁面は、前記連通孔から上方に離れるにしたがい、前記突出部の基端部から前記インク室側に突出する斜面」とは、たとえばインクカートリッジを連通孔を通るように縦方向に切断した断面を見たとき、側壁の右側に多孔質部材室が、左側にインク室がそれぞれ形成されている場合に、側壁が突出部の基端から左斜め上方に傾斜していることを意味する。
【００１４】
請求項５に記載の発明では、請求項４に記載のインクカートリッジにおいて、前記連通孔の上縁側において、前記側壁は、前記連通孔の開口端部の厚みが、当該開口端部から離れた部位の厚みに比べて薄く、前記インク室側側壁面は、前記斜面と、当該斜面と連続して繋がる一対の対向する壁面とを備えるという技術的手段を用いる。
【００１５】
「当該斜面と連続して繋がる一対の対向する壁面」とは、たとえば、図３（Ａ）、（Ｂ）に示す一対の切欠き部側面５ｆのことである。図示の例では、内側側壁５のうち、連通孔１５のインク室１０側の開口端部周囲が切欠き形成されており、突出部８ａの基端部８ｃからインク室１０側に突出するように形成された斜面５ｂと連続して繋がった一対の対向する切欠き部側面５ｆが、斜面５ｂとインク室側側壁面５ａとが上方で交差する位置まで延在している。
【００１６】
請求項６に記載の発明では、請求項１ないし請求項５のいずれか１つに記載のインクカートリッジにおいて、前記インク供給孔は、前記連通孔より下方に位置する前記インク室の床部壁に形成され、前記インク供給孔の前記インク室側の開口端は、前記連通孔の下縁を画定する前記インク室側側壁面より前記多孔質部材室側に位置するという技術的手段を用いる。
【００１７】
「前記インク供給孔は、前記連通孔より下方に位置する前記インク室の床部壁に形成され、」とは、インク供給孔を構成するインク室内側の開口端およびインク室外側（記録ヘッド側）の開口端のうち、インク室外側の開口端が下向きになった状態でインクカートリッジを連通孔を通るように縦方向に切断した断面を見たとき、インク供給孔が、連通孔より下方に位置するインク室の床部（底部）の壁に形成されているという意味である。
また、連通孔の下縁を画定するインク室側側壁面とは、たとえば、連通孔が上縁、下縁、右側縁および左側縁からなる断面四角形の場合に、インク室側側壁面のうち、下縁を他の縁と区別している部分の面という意味である。
つまり、「前記インク供給孔の前記インク室側の開口端は、前記連通孔の下縁を画定する前記インク室側側壁面より前記多孔質部材室側に位置する」とは、上記と同様の断面を見たとき、連通孔の下縁から垂線を下ろした場合に、インク室内側の開口端が垂線よりも多孔質部材室に寄っているという意味である。たとえば、側壁の右側に多孔質部材室が左側にインク室がそれぞれ形成されている場合に、上記と同様の断面を見たとき、インク室内側の開口端の左端が上記垂線よりも右方向に存在する状態を意味する。換言すると、連通孔からインク室へ流出したインクが、直線的な流路に沿ってインク供給孔に到達しないような位置に、連通孔およびインク供給孔が配置されているという意味である。
【発明の効果】
【００１８】
（請求項１に記載の発明の効果）
多孔質部材室とインク室とを連通する連通孔が、多孔質部材室とインク室との境界を構成する壁のうち、多孔質部材室とインク室とを左右に仕切る側壁に形成されており、且つ、多孔質部材には、多孔質部材室から突出して連通孔内に入り込む突出部が備えられているため、多孔質部材内から発生した気泡は、連通孔内の突出部を通じてインク室へ導かれると、その上昇を妨げられることなく、インク室の上方へ到達する。
したがって、連通孔から出た気泡が連通孔周囲に蓄積するという現象が発生しないため、気泡を含んだインクが記録ヘッドに供給されるおそれが少なく、記録装置の記録品質を高めることができるインクカートリッジを実現することができる。
【００１９】
（請求項２に記載の発明の効果）
特に、多孔質部材の突出部の先端部が、側壁のうち、少なくとも連通孔の上縁側において、側壁のインク室側側壁面よりインク室側に位置するように構成すれば、突出部の先端部から発生した気泡が連通孔内に停留することもないし、側壁から離れた位置から気泡が発生するため、気泡が側壁に付着するおそれを少なくすることができる。
したがって、気泡を含んだインクが記録ヘッドに供給されるおそれをより一層少なくすることができるため、記録装置の記録品質をより一層高めることができるインクカートリッジを実現することができる。
【００２０】
（請求項３に記載の発明の効果）
また、連通孔の上縁側における開口端部の側壁の厚みが厚い場合は、突出部の先端部から発生した気泡が、連通孔の上縁内側部分に停留するおそれがあるが、少なくとも連通孔の上縁側において、連通孔の開口端部の厚みを連通孔の開口端部より離れた部位の厚みより薄く形成すれば、気泡が連通孔の上縁内側部分に停留するおそれを少なくすることができる。
したがって、気泡を含んだインクが記録ヘッドに供給されるおそれをより一層少なくすることができるため、記録装置の記録品質をより一層高めることができるインクカートリッジを実現することができる。
【００２１】
（請求項４に記載の発明の効果）
さらに、インク室側側壁面は、連通孔から上方に離れるにしたがい、突出部の基端部からインク室側に突出する斜面であるという構成を用いると、斜面でない場合よりも、連通孔内に入り込んだ多孔質部材の先端部から発生した気泡を上記斜面に沿ってインク室の上方へどこにも停留することなく導くことができる。
したがって、連通孔から出た気泡が連通孔周囲に蓄積するという現象が発生し難いため、気泡を含んだインクが記録ヘッドに供給されるおそれがより一層少なく、記録装置の記録品質をより一層高めることができるインクカートリッジを実現することができる。
【００２２】
（請求項５に記載の発明の効果）
特に、上記の斜面とこれに連続的に繋がる一対の壁面とが、側壁内部において、多孔質部材の有する突出部から放出された気泡を、インク室の上方まで誘導する側壁内部の一種の気泡誘導路として働く。これにより、確実に、放出される気泡をインク供給孔からより上方に離れた位置でインク室内に解放することができるので、記録ヘッド側に気泡を供給してしまうことがなくなる。
【００２３】
（請求項６に記載の発明の効果）
インク供給孔が、連通孔より下方に位置するインク室の床部壁に形成され、インク供給孔のインク室側の開口端が、連通孔の下縁を画定するインク室側側壁面より多孔質部材室側に位置する構成を用いれば、連通孔とインク供給孔とが直線で結ばれる配置関係ではなくなるため、連通孔からインク室へ流出した気泡がインクの流れに乗ってインク供給孔へ到達するおそれが少ない。
したがって、気泡が含まれたインクがインク供給孔を通じて記録ヘッドに供給されるおそれがより一層少なく、記録装置の記録品質をより一層高めることができるインクカートリッジを実現することができる。
特に、パージングにより大量のインクが消費される場合は、多孔質部材室から連通孔を通じて大量のインクが記録時よりも速い速度で流出するが、その流出したインクが直線的な流路に沿ってインク供給孔に到達しないため、パージングにより気泡を含んだインクが記録ヘッドに供給されるおそれを少なくすることができる。
したがって、パージングの実行により記録品質が低下するおそれも少ない。
【発明を実施するための最良の形態】
【００２４】
＜第１実施形態＞
次に、この発明の第１実施形態について図を参照して説明する。
［主要構成］
この実施形態に係るインクカートリッジの主要構成について図１および図２を参照して説明する。図１は連通孔およびインク供給孔を通るようにインクカートリッジを縦方向に切断した場合の切断面を示す縦断面図である。図２（Ａ）は図１に示すインクカートリッジの連通孔の周囲を拡大して示す縦断面一部拡大説明図、図２（Ｂ）は図１に示すインクカートリッジにおいて多孔質部材の突出部から気泡が発生する様子を示す説明図、図２（Ｃ）は図２（Ａ）を正面図とした場合の一部を省略して示す左側面図、図２（Ｄ）は連通孔の変更例を示す説明図である。
【００２５】
図１に示すように、本実施形態のインクカートリッジ１は、ケース２を備えている。このケース２は、対向する一対の外部側壁２ａ，２ｂと、その一対の外部側壁間を連結する一対の外部側壁（図示せず）とを備えており、上下両端面を開放した横断面四角形の筒状をなしている。ケース２の上端の開放面には上側蓋部材３が、下端の開放面には下側蓋部材４がそれぞれ被せられている。ケース２は、たとえば透明もしくは半透明な樹脂材料により形成されており、上側蓋部材３および下側蓋部材４は、それぞれケース２に対して水密に熱溶着されている。
ケース２の内部は、外部側壁（図１において左右の壁）２ａ，２ｂとほぼ平行に延びる内部側壁５，６と、この内部側壁５，６の下端間を連結する内部底壁７と、この内部底壁７の下面と下側蓋部材４の上面とを連結する仕切壁７ａとにより区画されている。
【００２６】
内部側壁５，６、前記図示しない一対の外部側壁、上側蓋部材３および内部底壁７により区画された空間には、インクが含浸された多孔質部材８を収容した多孔質部材室９が形成されている。多孔質部材８は、たとえばポリウレタンフォームなど、インクの吸収性に優れており、かつ、圧縮可能な多孔質の部材により形成されている。
また、外部側壁２ａ、内部側壁５、前記図示しない一対の外部側壁、上側蓋部材３、内部底壁７、仕切壁７ａおよび下側蓋部材４により区画された空間には、インクが収容されたインク室１０が形成されている。さらに、内部側壁６、外部側壁２ｂ、内部底壁７、仕切壁７ａ、上側蓋部材３および下側蓋部材４により区画された空間には、大気連通路１１が形成されている。大気連通路１１において内部側壁６と外部側壁２ｂとを連結する部分には、大気連通路１１を上下に区画する仕切壁２８が形成されており、その仕切壁２８には貫通孔２８ａが上下方向に貫通して形成されている。
【００２７】
側壁５の最下端には、多孔質部材室９とインク室１０とを連通させる連通孔１５が横方向に貫通形成されており、インク室１０の底部における下側蓋部材４には、インク供給孔１７が上下方向に貫通形成されている。また、大気連通路１１を区画する下側蓋部材４には、インクカートリッジ１の外部の大気と連通する大気連通孔１８が上下方向に貫通形成されている。上側蓋部材３と内部側壁６の上端とが交差する部分には、大気連通路１１と多孔質部材室９とを跨いで両者に連通する通路１６が形成されており、その通路１６は、減圧口１４を通じて多孔質部材室９と連通している。また、インク室１０の上方における上側蓋部材３には、インクを充填するためのインク充填口１３が上下方向に貫通形成されている。
【００２８】
多孔質部材８にインクを含浸させることにより、インク供給孔１７から記録ヘッドへ供給するインク圧に大きな変動が生じないようにインクの圧力を保持している。また、多孔質部材８は、圧縮した状態で多孔質部材室９に収容されており、これにより、記録ヘッドへ供給するインク圧を、インクがインク吐出に適したメニスカスをノズルで形成できるように制御している。
連通孔１５は、図２（Ｃ）に示すように、縦断面が四角形に形成されており、上縁１５ａと、この上縁に対向する下縁１５ｂと、上縁１５ａおよび下縁１５ｂの各端部を連結する右側縁１５ｃと、左側縁１５ｄとを有する。
また、多孔質部材８は、図２（Ａ）に示すように、多孔質部材室９から突出して連通孔１５の内部に入り込む突出部８ａを備えている。突出部８ａの先端部は、内部側壁５のうち、少なくとも連通孔１５の上縁１５ａ側において、内部側壁５のインク室１０側側壁面５ａよりインク室１０側に位置している。つまり、突出部８ａの先端部は、連通孔１５のインク室１０側の開口端からインク室１０へ突出している。
【００２９】
記録装置には、被記録媒体に沿って走査移動されるキャリッジと、そのキャリッジに取付けられたヘッドホルダとが備えられており、そのヘッドホルダに記録ヘッドが支持される。下側蓋部材４の底面におけるインク供給孔１７の周囲には、凹部２９が形成されており、その凹部にヘッドホルダのジョイント部がＯリンクを挟んで着脱可能に嵌合される。そして、インク室１０に収容されたインクは、インク供給孔１７からヘッドホルダのマニホールド部材を通じて記録ヘッドに供給され、ノズルに連通した圧力室に導かれる。アクチュエータの駆動により圧力室内のインクに吐出エネルギーが与えられ、圧力室内のインクがノズルから被記録媒体へ吐出され、画像の記録が行われる。
【００３０】
そして、インクの吐出により、圧力室内のインクが消費され、負圧が生じると、多孔質部材室９に収容されたインクが連通孔１５を通じてインク室１０に供給され、さらにインク室１０からインク供給孔１７を通じて記録ヘッドに導かれる。また、多孔質部材室９内部の減圧により、大気連通孔１８を通じて大気連通路１１に大気が供給され、多孔質部材室９から記録ヘッドへ供給されるインク圧が、再びインクがインク吐出に適したメニスカスをノズルに形成できる圧力に保持される。
ところで、上記のように、多孔質部材室９に収容されているインクが記録ヘッドに供給されるとき、図２（Ｂ）に示すように、多孔質部材８に含まれていた気泡１９が、インクの流れに乗って、多孔質部材８の突出部８ａの先端部から発生する場合がある。
しかし、突出部８ａの先端部がインク室１０の内部に突出しているため、気泡１９はどこにも停留することなくインク室１０の内部を上昇し、インク室１０の上部に形成された空間中で消滅する。
したがって、気泡を含んだインクが記録ヘッドへ供給されることにより、正常にインクを吐出することができず、記録品質が低下してしまうおそれが少ない。
【００３１】
［第１実施形態の効果］
（１）以上のように、上記第１実施形態のインクカートリッジ１を使用すれば、多孔質部材室９とインク室１０とを連通する連通孔１５が、多孔質部材室９とインク室１０との境界を構成する壁のうち、多孔質部材室９とインク室１０とを左右に仕切る内部側壁５に形成されている。多孔質部材８には、多孔質部材室９から突出して連通孔１５内に入り込む突出部８ａが備えられている。そのため、多孔質部材室９中に保持されているインクをほとんど使い切るまでインク室１０への気泡１９の放出は起こらないので、インクの利用効率が高い。さらに、放出された気泡１９は連通孔１５内に停留しにくく、連通孔１５内の突出部８ａを通じてインク室１０へ滑らかに導かれるとともに、その上昇を妨げられることなくインク室１０の上方へ到達し、インク室１０の上部に形成された空間で消滅する。
したがって、連通孔１５から出た気泡１９が連通孔１５の周囲に蓄積するという現象が発生し難いため、気泡１９を含んだインクが記録ヘッドに供給されるおそれが少なく、記録装置の記録品質を高めることができるインクカートリッジを実現することができる。
【００３２】
（２）特に、多孔質部材８の突出部８ａの先端部が、内部側壁５のうち、少なくとも連通孔１５の上縁１５ａ側において、内部側壁５のインク室側側壁面５ａよりインク室１０側に位置するように構成されているため、突出部８ａの先端部から発生した気泡１９が直接インク室１０内に放出されることになり、連通孔１５内に停留することもない。さらに、内部側壁５から離れた位置から気泡１９が発生するため、気泡１９が内部側壁５に付着するおそれを少なくすることができる。
したがって、気泡１９を含んだインクが記録ヘッドに供給されるおそれをより一層少なくすることができるため、記録装置の記録品質をより一層高めることができるインクカートリッジを実現することができる。
【００３３】
（変更例）
図２（Ｄ）に示すように、連通孔１５を縦断面円形に形成してもよい。また、多孔質部材室９に収容されたインクを最大限消費するために、連通孔１５は内部側壁５の最下端に形成することが望ましいが、最下端から少し上方の位置に形成してもよい。このように連通孔１５の形成位置が上方に移動すると、連通孔１５とインク供給孔１７との距離が離れるため、その分、多孔質部材８の突出部８ａから発生した気泡が、インクの流れに乗ってインク供給孔１７へ導かれ難くすることができる。
【００３４】
＜第２実施形態＞
次に、この発明の第２実施形態について図３を参照して説明する。図３（Ａ）はインクカートリッジの連通孔の周囲を拡大して示す縦断面一部拡大説明図、図３（Ｂ）は図３（Ａ）を正面図とした場合の一部省略して示す左側面図、図３（Ｃ）は図３（Ａ）において多孔質部材の突出部から気泡が発生する様子を示す説明図である。
この実施形態のインクカートリッジでは、連通孔１５の上縁１５ａの下面に気泡が蓄積されないようにしている。図３（Ａ）に示すように、内部側壁５のインク室側側壁面５ａには、連通孔１５から上方に離れるにしたがい、突出部８ａの基端部８ｃからインク室１０側に突出する斜面５ｂが形成されている。さらに、本実施の形態では、図３（Ａ）に示すように、斜面５ｂが内部側壁５の厚み内部に切欠かれるようにして形成されており、これに対応して斜面５ｂに交差する一対の切欠き部側面５ｆが対向して形成されているので、その斜面５ｂが形成された部分であって、連通孔１５の上縁１５ａ側における開口端部の内部側壁５の厚みを、他の下縁１５ｂ、右側縁１５ｃおよび左側縁１５ｄにおける厚みよりも薄くすることもできる。
【００３５】
また、多孔質部材室９に収容された多孔質部材８の突出部８ａが連通孔１５の内部に突出している。突出部８ａの先端部８ｂは、連通孔１５の上縁１５ａからインク室１０内に突出しているが、連通孔１５の下縁１５ｂからは突出していない状態になっている。
この実施形態のインクカートリッジは上述した構成であるため、図３（Ｃ）に示すように、多孔質部材８の突出部８ａの先端部８ｂから発生した気泡１９は、連通孔１５の上縁１５ａ付近に停留することなく、斜面５ｂに沿って上昇し、その斜面５ｂの上端を越えると、インク室１０の内部を上昇し、インク室１０の上方に形成された空間で消滅する。
【００３６】
［第２実施形態の効果］
（１）以上のように、上記第２実施形態のインクカートリッジを使用すれば、少なくとも連通孔１５の上縁１５ａ側において、連通孔１５の開口端部の厚みが、連通孔１５の開口端部より離れた部位の厚みより薄く形成されている。これにより、突出部８ａの先端部８ｂが容易に内部側壁５のインク室１０側側壁面５ａよりインク室１０側に位置し易くなるので、気泡１９が連通孔１５の上縁１５ａの壁面に蓄積するおそれを少なくすることができる。
したがって、気泡１９を含んだインクが記録ヘッドに供給されるおそれをより一層少なくすることができるため、記録装置の記録品質をより一層高めることができるインクカートリッジを実現することができる。
（２）特に、内部側壁５のインク室１０側の側壁面は、連通孔１５から上方に離れるにしたがい、突出部８ａの基端部８ｃからインク室１０側に突出する斜面５ｂであるため、連通孔１５内に入り込んだ多孔質部材８の先端部８ａから発生した気泡１９を斜面５ｂに沿ってインク室１０の上方へどこにも停留することなく導くことができる。
したがって、連通孔１５から出た気泡１９が連通孔１５の周囲に蓄積されるという現象が発生しないため、気泡１９を含んだインクが記録ヘッドに供給されるおそれがより一層少なく、記録装置の記録品質をより一層高めることができるインクカートリッジを実現することができる。
（３）さらに、インク室１０側に突出するように形成された斜面５ｂに対し、一対の切欠き部側面５ｆが、斜面５ｂとインク室側側壁面５ａとが上方で交差する位置まで延在しており、斜面５ｂとともに、先端部８ｂからインク室１０に放出される気泡１９がインク室１０のさらに上方でインク室１０内に解放されるように誘導している。
したがって、突出部８ａから放出された気泡１９は、誘導されてインク供給孔１７から上方のより離れた位置でインク室１０内に解放されることになるので、より確実に気泡１９が記録ヘッドに供給されてしまうことを抑制することができ、記録品質のより一層の向上に寄与することができる。
【００３７】
（変更例）
図４（Ａ），（Ｂ）は、上記第２実施形態のインクカートリッジの変更例を示す縦断面一部拡大説明図である。図４（Ａ）に示すように、連通孔１５の上縁１５ａ近傍の内部側壁５の厚みは薄い板状に形成されており、その板状部分のうち、インク室１０側の側壁面５ｃの上端からは、上方に離れるにしたがい、その上端からインク室１０側に突出する斜面５ｄが形成されている。また、多孔質部材８の突出部８ａの先端部８ｂは、連通孔１５の上縁１５ａからは突出しているが、連通孔１５の下縁１５ｂからは突出していない状態になっている。
このため、多孔質部材８の突出部８ａの先端部８ｂから発生した気泡は、連通孔１５の上縁１５ａ付近に停留することなく、斜面５ｄに沿って上昇し、その斜面５ｄの上端を越えると、インク室１０の内部を上昇し、インク室１０の上方に形成された空間で消滅する。
【００３８】
また、図４（Ｂ）に示す変更例では、連通孔１５の上縁１５ａから上方に離れるにしたがい、インク室１０側へ突出した円弧状の斜面５ｅが形成されている。また、内部側壁５の厚みは、斜面５ｅの上端から連通孔１５の上縁１５ａに近づくにしたがい薄くなるように形成されている。また、多孔質部材８の突出部８ａの先端部８ｂは、連通孔１５の上縁１５ａからは突出しているが、連通孔１５の下縁１５ｂからは突出していない状態になっている。
このため、多孔質部材８の突出部８ａの先端部８ｂから発生した気泡は、連通孔１５の上縁１５ａ付近に停留することなく、斜面５ｅに沿って上昇し、その斜面５ｅの上端を越えると、インク室１０の内部を上昇し、インク室１０の上方に形成された空間で消滅する。
本実施の形態及び上述の各変形例では、連通孔１５の上縁部において、インク室１０側に突出するように形成された斜面５ｂ、５ｄ、５ｅに対して、一対の切欠き部側面５ｆが、斜面５ｂ、５ｄ、５ｅとインク室側側壁面５ａとが上方で交差する位置まで延在しているとともに、斜面５ｂ、５ｄ、５ｅ自体に対しても交差して形成されている。
これに対して、さらに別の変形例として、図示はしないが、斜面５ｂ、５ｄ、５ｅとインク室側側壁面５ａとが上方で交差する位置まで延在する切欠き部側面５ｆが、斜面５ｂ、５ｄ、５ｅに対しては滑らかに繋がるように形成されていてもよい。
これにより、切欠き部側面５ｆと斜面５ｂ、５ｄ、５ｅとが交差することにより形成されてしまう角部が無くなるので、突出部８ａから放出された気泡１９は、より滑らかにインク室１０の上方に誘導されることになる。すなわち、放出された気泡１９は、側壁５のいずれの部位にも留まることなくインク室１０内を上昇することができる。
【００３９】
＜第３実施形態＞
次に、この発明の第３実施形態について図５および図６を参照して説明する。図５は連通孔およびインク供給孔を通るようにインクカートリッジを縦方向に切断した場合の切断面を示す縦断面図であり、図６は図５に示すインクカートリッジの連通孔およびインク供給孔の周囲を拡大して示す縦断面一部拡大説明図である。
この実施形態のインクカートリッジは、連通孔から発生した気泡が、インク供給孔へ向かうインクの流れに乗り難いことを特徴とする。
図１および図２（Ｂ）に示したように、インク供給孔１７のインク室１０側の開口端が、連通孔１５の下縁を画定するインク室１０側側壁面５ａよりもインク室１０側（図面左方）に位置していると、連通孔１５とインク供給孔１７とが直線で結ばれる配置関係にあるため、連通孔１５から突出した多孔質部材８ａから発生した気泡が、インク室１０からインク供給孔１７へ向かうインクの流れに乗ってしまうことがある。特に、パージングにより大量のインクが消費される場合は、インクの流れは記録時よりも速くなるため、気泡がインク供給孔１７へ導出されてしまうおそれがある。
そこで、この実施形態のインクカートリッジでは、連通孔１５から発生した気泡が、インクの流れに乗り難いようにしている。
【００４０】
図５および図６に示すように、インク供給孔１７のインク室１０側の開口端１７ａは、連通孔１５の下縁１５ｂを画定するインク室１０側側壁面５ａよりも多孔質部材室９側に位置している。連通孔１５の下縁１５ｂのインク室１０側の開口端から下ろした垂線と、インク供給孔１７のインク室１０側の開口端１７ａのインク室１０側の端部から下ろした垂線との水平間隔はＬ１になっている。つまり、インク供給孔１７のインク室１０側の開口端１７ａのインク室１０側の端部は、連通孔１５の下縁１５ｂのインク室１０側の開口端から多孔質部材室９の方向へ水平距離Ｌ１ずれている。
このように構成することにより、連通孔１５とインク供給孔１７とは直線で結ばれる配置関係ではなくなる。また、多孔質部材８の突出部８ａの先端部は、連通孔１５からインク室１０へ突出している。
したがって、連通孔１５からインク室１０へ突出した多孔質部材８の突出部８ａから発生した気泡が、インクの流れに乗ってインク供給孔から導出され難くなる。特に、パージングが行われたときのように、インクの流れが速い場合であっても、気泡がインクの流れに乗ってインク供給孔から導出され難くなる。
【００４１】
［第３実施形態の効果］
以上のように、上記第３実施形態のインクカートリッジを使用すれば、インク供給孔１７が、連通孔１５より下方に位置するインク室１０の下側蓋部材４に形成され、インク供給孔１７のインク室１０側の開口端１７ａが、連通孔１５の下縁１５ｂを画定するインク室１０側側壁面５ａより多孔質部材室９側に位置している。これにより、連通孔１５とインク供給孔１７とが直線で結ばれる配置関係ではなくなるため、連通孔１５からインク室１０へ流出した気泡１９がインクの流れに乗ってインク供給孔１７へ到達するおそれが少ない。
したがって、気泡１９が含まれたインクがインク供給孔１７を通じて記録ヘッドに供給されるおそれがより一層少なく、記録装置の記録品質をより一層高めることができるインクカートリッジを実現することができる。
特に、パージングにより大量のインクが消費される場合は、多孔質部材室９から連通孔１５を通じて大量のインクが記録時よりも速い速度で流出する。その流出するインクが直線的な流路に沿ってインク供給孔１７に到達しないため、パージング時でも気泡１９が記録ヘッドに供給されるおそれを少なくすることができる。
したがって、パージングの実行により記録品質が低下するおそれも少ない。
【００４２】
＜第４実施形態＞
次に、この発明の第４実施形態について図７および図８を参照して説明する。図７は連通孔およびインク供給孔を通るようにインクカートリッジを縦方向に切断した場合の切断面を示す縦断面図であり、図８（Ａ）は図７に示すインクカートリッジの連通孔およびインク供給孔の周囲を拡大して示す縦断面一部拡大説明図であり、図８（Ｂ）は図７（Ａ）を左側面から透視した説明図である。
図７および図８に示すように、連通孔１５が、内部側壁５の下端に形成されている。また、多孔質部材室９から連通孔１５を介してインク室１０へ流出する気泡をインク室１０の上方へ案内する案内部材３０が、多孔質部材室９からインク室１０を介してインクがインク供給孔１７から流出するときに、インクが連通孔１５とインク供給孔１７とを結ぶ流路を遮る位置に備えられている。つまり、案内部材３０が、連通孔１５とインク供給孔１７とを直線的に結ぶ仮想線Ｋ１を遮る位置に備えられている。
【００４３】
案内部材３０の下端は、インク室１０の底部に取付けられており、かつ、案内部材３０の上端３１は、図８（Ｂ）に示すように、連通孔１５の上縁１５ａよりも高い位置まで延びている。案内部材３０は、板状に形成されており、その一方の板面を連通孔１５に対向させ、他方の板面を外部側壁２ａの内壁面に対向させている。また、多孔質部材８の突出部８ａの先端部が連通孔１５からインク室１０へ突出している。
したがって、図８（Ａ）に示すように、インク室１０に収容されたインクがインク供給孔１７へ供給される場合に、連通孔１５から流出するインクは、その流路が案内部材３０に衝突して遮られ、一旦流れを上方に向けることになる。その流れに乗ってインク室１０に流出した気泡１９も案内部材３０に衝突し、その後、インク室１０を上昇するが、気泡１９の有する浮力により移動の方向を下方に変えることなく、インクの流れから離れて、インク室１０の上方に形成された空間で消滅する。つまり、気泡１９は、案内部材３０によってインク室１０の上方へ案内される。
【００４４】
［第４実施形態の効果］
以上のように、上記第４実施形態のインクカートリッジを使用すれば、多孔質部材室９から連通孔１５を介してインク室１０へ流出する気泡をインク室１０の上方へ案内する案内部材３０が、多孔質部材室９からインク室１０を介してインクがインク供給孔１７から流出するときに、インクが連通孔１５とインク供給孔１７とを結ぶ流路を遮る位置に備えられているため、連通孔１５から流出した気泡がインクの流れに乗ってインク供給孔を通じて記録ヘッドに供給されるおそれが少ない。
したがって、気泡１９が含まれたインクがインク供給孔１７を通じて記録ヘッドに供給されるおそれがより一層少なく、記録装置の記録品質をより一層高めることができるインクカートリッジを実現することができる。
特に、パージングを実行したときのように、連通孔１５からインク室１０を通じてインク供給孔１７へ流出するインクの流速が速い場合であっても、連通孔１５からインク室１０へ流出するインクの流れは案内部材３０によって遮られるため、気泡１９がインクの流れに乗ってインク供給孔１７を通じて記録ヘッドに供給されるおそれが少ない。
したがって、パージングの実行により記録品質が低下するおそれも少ない。
【００４５】
［各請求項と実施形態との対応関係］
内部側壁５が、請求項１に記載の「前記多孔質部材室と前記インク室とを左右に仕切る側壁」に対応し、下側蓋部材４が、請求項６に記載のインク室の床部壁に対応する。
【図面の簡単な説明】
【００４６】
【図１】連通孔およびインク供給孔を通るようにインクカートリッジを縦方向に切断した場合の切断面を示す縦断面図である。
【図２】図２（Ａ）は図１に示すインクカートリッジの連通孔の周囲を拡大して示す縦断面一部拡大説明図、図２（Ｂ）は図１に示すインクカートリッジにおいて多孔質部材の突出部から気泡が発生する様子を示す説明図、図２（Ｃ）は図２（Ａ）を正面図とした場合の一部を省略して示す左側面図、図２（Ｄ）は連通孔の変更例を示す説明図である。この発明の実施形態に係る記録装置の主な内部構造を示す説明図である。
【図３】図３（Ａ）は第２実施形態のインクカートリッジの連通孔の周囲を拡大して示す縦断面一部拡大説明図、図３（Ｂ）は図３（Ａ）を正面図とした場合の一部省略して示す左側面図、図３（Ｃ）は図３（Ａ）において多孔質部材の突出部から気泡が発生する様子を示す説明図である。
【図４】図４（Ａ），（Ｂ）は、第２実施形態のインクカートリッジの変更例を示す縦断面一部拡大説明図である。
【図５】第３実施形態のインクカートリッジを連通孔およびインク供給孔を通るように縦方向に切断した場合の切断面を示す縦断面図である。
【図６】図５に示すインクカートリッジの連通孔およびインク供給孔の周囲を拡大して示す縦断面一部拡大説明図である。
【図７】第４実施形態のインクカートリッジを連通孔およびインク供給孔を通るように縦方向に切断した場合の切断面を示す縦断面図である。
【図８】図７に示すインクカートリッジの連通孔およびインク供給孔の周囲を拡大して示す縦断面一部拡大説明図である。
【図９】従来の記録装置に用いられているインクカートリッジの縦断面説明図である。
【符号の説明】
【００４７】
１    インクカートリッジ
４    下側蓋部材（インク室の床部壁）
５    内部側壁（多孔質部材室とインク室とを左右に仕切る壁）
５ａ  インク室１０側側壁面
８    多孔質部材
８ａ  突出部
８ｂ  先端部
８ｃ  基端部
９    多孔質部材室
１０    インク室
１５    連通孔
１５ａ  上縁
１５ｂ  下縁
１７    インク供給孔
１９    気泡
【図１】
2005205665.tif 000003
【図２】
2005205665.tif 000004
【図３】
2005205665.tif 000005
【図４】
2005205665.tif 000006
【図５】
2005205665.tif 000007
【図６】
2005205665.tif 000008
【図７】
2005205665.tif 000009
【図８】
2005205665.tif 000010
【図９】
2005205665.tif 000011